(57)【要約】【課題】組立性を向上することができ、成型後の外観不良を抑制することができる。【解決手段】外部から電源部が接続されることによって内部のモータ４が駆動する魚釣用電動リールであって、モータ４が収容され、外郭部に本体フレーム２１を有するリール本体２と、モータ４に接続され、電源部が電気的に着脱可能に設けられたコネクタ１０と、本体フレーム２１の取付壁２１Ｄに固定ねじ６６により装着され、コネクタ１０を固定する保持孔６２を有する固定ホルダー６と、を備えた魚釣用電動リールを提供する。【選択図】図６
2020010607.tif 000002
【特許請求の範囲】
【請求項１】
外部から電源部が接続されることによって内部の電気駆動部が駆動する魚釣用電動リールであって、
前記電気駆動部が収容され、外郭部に本体フレームを有するリール本体と、
前記電気駆動部に接続され、前記電源部が電気的に着脱可能に設けられたコネクタと、
前記本体フレームに固定手段により装着され、前記コネクタを固定する保持孔を有する固定ホルダーと、
を備えている、魚釣用電動リール。
【請求項２】
外部から電源部が接続されることによって内部の電気駆動部が駆動する魚釣用電動リールであって、
前記電気駆動部が収容され、外郭部に本体フレームを有するリール本体と、
前記電気駆動部に接続され、前記電源部が電気的に着脱可能に設けられたコネクタと、
前記本体フレームに固定手段により装着され、前記コネクタを保持した状態で該コネクタと一体に設けられてユニット化された固定ホルダーと、
を備えている、魚釣用電動リール。
【請求項３】
前記固定手段は固定ねじであり、前記本体フレームは、前記固定ホルダーを前記固定ねじで固定可能な取付壁を有する、請求項１又は２に記載の魚釣用電動リール。
【請求項４】
前記本体フレームは、アルミニウム製の部材から形成されている、請求項１乃至３のいずれか１項に記載の魚釣用電動リール。
【発明の詳細な説明】
【技術分野】
【０００１】
本発明は、魚釣用電動リールに関する。
【背景技術】
【０００２】
従来、外部から電源部が接続されることによって内部のスプール駆動用モータの回転駆動力により釣糸が巻き回されるスプールを駆動する魚釣用電動リールでは、電動リールのスプール駆動用モータに給電する手段としてはバッテリ装置を釣り位置から離れた場所に設置し、スプール駆動用モータが内蔵されたリール本体に設けた給電接続部（給電コネクタ）に対して給電コードを接続して給電する方式のものが知られている。
【０００３】
このような魚釣用電動リールに設けられる給電コネクタとしては、例えば特許文献１、２に示されるようなリール本体の一部を覆うカバーにコネクタが設けられるものや、例えば特許文献３に示されるようなリール本体の本体フレームにコネクタ取付部を一体で設けたものが知られている。
【先行技術文献】
【特許文献】
【０００４】
【特許文献１】特開２００５−３３３８９９号公報
【特許文献２】特開２００７−１３５５１７号公報
【特許文献３】特開２０００−１５７１２２号公報
【発明の概要】
【発明が解決しようとする課題】
【０００５】
しかしながら、上述した従来の魚釣用電動リールでは、以下のような問題があった。
すなわち、特許文献１、２の場合には、カバーをリール本体に組み込む際に、リール本体に固定されるカウンタ等の電気駆動部と給電コネクタとを接続するリード線が噛み込むおそれがあることから、組立性の点で改善の余地があった。
また、特許文献３の場合には、本体フレームに給電コネクタの回り止めの機能をもたせるための回り止め形状の肉厚部が形成されている。そのため、肉厚部分の影響により本体フレームの成型時にヒケ等が発生し、外観上の不良が生じやすくなるという問題があった。
【０００６】
本発明は、このような事情に考慮してなされたもので、その目的は、組立性を向上することができ、成型後の外観不良を抑制することができる魚釣用電動リールを提供することである。
【課題を解決するための手段】
【０００７】
（１）本発明に係る魚釣用電動リールは、外部から電源部が接続されることによって内部の電気駆動部が駆動する魚釣用電動リールであって、前記電気駆動部が収容され、外郭部に本体フレームを有するリール本体と、前記電気駆動部に接続され、前記電源部が電気的に着脱可能に設けられたコネクタと、前記本体フレームに固定手段 により装着され、前記コネクタを固定する保持孔を有する固定ホルダーと、を備えていることを特徴としている。
【０００８】
本発明に係る魚釣用電動リールによれば、本体フレームに固定手段により固定された固定ホルダーを介してコネクタが固定される。そのため、電気駆動部に接続されるコネクタは、リール本体の一部を覆うカバー側ではなく、リール本体側で電気駆動部とともに設けられた状態となる。そのため、魚釣用電動リールを組み立てる際に、予め本体フレーム側でコネクタと電気駆動部とを接続するリード線を組み付けておくことが可能となる。したがって、本体フレームにカバーを組み込む際に、従来のようにカバーにコネクタが設けられている場合のようにリード線が噛み込むような不具合を防ぐことができ、組立性の向上を図ることができる。
【０００９】
また、本発明では、本体フレームに対して固定ホルダーを介してコネクタが固定される。つまり、コネクタの取付部が直接、本体フレームに設けられていないので、従来のようなコネクタの回り止め形状の肉厚部分が本体フレームに形成されることがない。したがって、前記肉厚部分の影響により本体フレームの成型時のヒケ等の発生をなくすことができ、このヒケ等に伴う外観不良を抑制することができる。
【００１０】
（２）本発明に係る魚釣用電動リールは、外部から電源部が接続されることによって内部の電気駆動部が駆動する魚釣用電動リールであって、前記電気駆動部が収容され、外郭部に本体フレームを有するリール本体と、前記電気駆動部に接続され、前記電源部が電気的に着脱可能に設けられたコネクタと、前記本体フレームに固定手段により装着され、前記コネクタを保持した状態で該コネクタと一体に設けられてユニット化された固定ホルダーと、を備えていることを特徴としている。
【００１１】
本発明に係る魚釣用電動リールによれば、本体フレームに固定手段により固定された固定ホルダーにコネクタが一体にユニット化されて設けられている。そのため、電気駆動部に接続されるコネクタは、リール本体の一部を覆うカバー側ではなく、リール本体側で電気駆動部とともに設けられた状態となる。そのため、魚釣用電動リールを組み立てる際に、予め本体フレーム側でコネクタと電気駆動部とを接続するリード線を組み付けておくことが可能となる。したがって、本体フレームにカバーを組み込む際に、従来のようにカバーにコネクタが設けられている場合のようにリード線が噛み込むような不具合を防ぐことができ、組立性の向上を図ることができる。
【００１２】
また、本発明では、本体フレームに対して固定ホルダーとコネクタとがユニット化されている。つまり、コネクタの取付部が直接、本体フレームに設けられていないので、従来のようなコネクタの回り止め形状の肉厚部分が本体フレームに形成されることがない。したがって、前記肉厚部分の影響により本体フレームの成型時のヒケ等の発生をなくすことができ、このヒケ等に伴う外観不良を抑制することができる。
【００１３】
（３）前記固定手段は固定ねじであり、前記本体フレームは、前記固定ホルダーを前記固定ねじで固定可能な取付壁を有することが好ましい。
【００１４】
この場合には、本体フレームの取付壁に対して固定ホルダーを固定ねじによってねじ止めする固定構造となり、取付壁を除いた本体フレームの成型時の影響を小さく抑えることができる。
【００１５】
（４）前記本体フレームは、アルミニウム製の部材から形成されていることを特徴としてもよい。
【００１６】
この場合には、上述のように本体フレームに直接コネクタの取付部が設けられていない構造となるので、本体フレームがアルミニウム製であっても簡単な金型構造により成型することができ、製造コストの増加を抑えることができる。
【発明の効果】
【００１７】
本発明に係る魚釣用電動リールによれば、組立性を向上することができ、成型後の外観不良を抑制することができる。
【図面の簡単な説明】
【００１８】
【図１】本発明の実施形態による電動リールを上斜め後方から見た斜視図である。
【図２】図１に示す電動リールを下斜め前方から見た斜視図である。
【図３】図１に示す電動リールを斜め前方から見た斜視図であって、右側カバーを省略した図である。
【図４】図３に示すＡ−Ａ線断面図である。
【図５】コネクタ取付部の構成を示す斜視図である。
【図６】図５に示すコネクタ取付部の分解斜視図である。
【図７】図４に示すコネクタ取付部の要部を拡大した縦断面図である。
【図８】固定ホルダーをホルダー固定面側から見た斜視図である。
【図９】固定ホルダーを上方から見た平面視である。
【発明を実施するための形態】
【００１９】
以下、本発明に係る魚釣用電動リールの実施形態について図面を参照して説明する。なお、本実施形態では、魚釣用リールとして両軸受リールを例に挙げて説明する。また、各図面において、各構成部材を視認可能な大きさとするために必要に応じて各構成部材の縮尺を適宜変更している場合がある。
【００２０】
図１及び図２に示すように本実施形態による電動リール１（魚釣用電動リール）は、外部電源から供給された電力により駆動されるとともに、手巻きの両軸受リールとして使用するときの電源を内部に有している。
【００２１】
電動リール１は、釣り竿に装着可能なリール本体２と、リール本体２に対してハンドル軸Ｃ１回りに回転可能に取り付けられたハンドル２０と、リール本体２に対してハンドル軸Ｃ１と平行なスプール軸Ｃ２回りに回転可能で図示しない釣糸が巻かれるスプール３（回転駆動部）と、リール本体２に設けられ、スプール３に回転駆動力を伝達するモータ４（電気駆動部）と、スプール３とハンドル２０とを連結する連結状態及び遮断する遮断状態を切り替え可能なクラッチ機構５と、を備えている。
【００２２】
ここで、本実施形態では、ハンドル軸Ｃ１及びスプール軸Ｃ２は、それぞれ平行に設けられ、これらの方向を必要に応じて左右方向Ｌ１として定義すると共に、左右方向Ｌ１に直交すると共にスプール３に巻かれた釣糸が繰り出される方向に沿う方向を前後方向Ｌ２として定義する。また、前後方向Ｌ２においてスプール３から釣糸が繰り出される方向を前方、その反対方向を後方と定義すると共に、電動リール１を後方側から見た視点で左右を定義する。なお、図１は電動リール１を上斜め後方から見た斜視図、図２は電動リール１を下斜め前方から見た斜視図である。
【００２３】
（リール本体）
リール本体２は、本体フレーム２１と、本体フレーム２１の一部を覆うカバー２２と、本体フレーム２１の上側に位置する水深表示部２３と、を備えている。
本体フレーム２１は、例えば合成樹脂又は金属製の一体形成された部材である。本体フレーム２１は、左右方向Ｌ１でスプール３を挟んでハンドル２０側となる右側板２１Ａと、右側板２１Ａと反対側に位置する左側板２１Ｂと、右側板２１Ａと左側板２１Ｂとを連結する複数の連結部材２１Ｃと、を有している。
右側板２１Ａと左側板２１Ｂは、互いに左右方向Ｌ１に間隔を隔てて配置されている。また、それぞれの側板２１Ａ、２１Ｂには、スプール３やモータ４を支持する支持部、及びクラッチ機構５等の回転駆動機構が配置されている。
【００２４】
右側板２１Ａ及び左側板２１Ｂには、スプール３のスプール回転軸（図示省略）の端部が回転自在に支持された状態で装着されている。図２に示す連結部材２１Ｃは、板状をなし、右側板２１Ａ及び左側板２１Ｂの下部を連結する。連結部材２１Ｃのうちの１つには、左右方向Ｌ１の略中央部分に釣り竿に取り付けるための釣り竿装着部２４が装着されている。
【００２５】
カバー２２は、右側カバー２２Ａ、左側カバー２２Ｂ、及び前カバー２２Ｃを備えている。右側カバー２２Ａは、右側板２１Ａを所定の収容空間を設けて覆い、右側板２１Ａの外縁部に例えばネジ止めされている。左側カバー２２Ｂは、左側カバー２２Ｂを所定の収容空間を設けて覆い、左側板２１Ｂの外縁部に例えばネジ止めされている。前カバー２２Ｃは、本体フレーム２１の前部を覆っている。
右側板２１Ａの前方下部には、図３に示すように、外部からの給電ケーブル１１（電源部）を接続するためのコネクタ１０が差し込み口１３ａを下向きにした状態で装着されている。
【００２６】
（水深表示部）
水深表示部２３は、図１に示すように、右側板２１Ａと左側板２１Ｂとの間に配置されている。水深表示部２３は、釣り糸の先端に装着可能な仕掛けの水深を表示可能な液晶ディスプレイからなる表示板２３Ａと、リール制御部（不図示）と、を有している。水深表示部２３は、右側板２１Ａ及び左側板２１Ｂの上部に載置されるケース部を構成し、右側板２１Ａ及び左側板２１Ｂの外側面にネジ止め固定され、表示操作を行うための複数（本実施形態では３つ）の操作ボタン２３Ｂを有している。
【００２７】
（ハンドル）
図１及び図２に示すように、ハンドル２０は、ハンドル軸の先端部２０ａに回転不能に装着されたハンドルアーム２５と、ハンドルアーム２５の一端にハンドル軸Ｃ１と平行な軸回りに回転自在に装着されたハンドルノブ２６と、リール本体２側に配置されたドラグ２７と、を有している。
ハンドル２０からのトルクは、クラッチ機構５がクラッチオンされた状態においてスプール３に直接伝達される。
【００２８】
（スプール）
スプール３は、右側板２１Ａと左側板２１Ｂとの間でそれぞれ軸受（図示省略）をかいして回転自在に設けられている。スプール３は、不図示のスプール回転軸と、スプール回転軸と同軸に配置されて連動して回転可能な筒状の糸巻胴部３２と、糸巻胴部３２の両端に径方向の外側に向けて拡径されたフランジ部３３と、を備えている。
スプール３は、モータ４から図示しないスプール駆動機構を介して回転駆動され、クラッチ操作部材５０によって駆動されるクラッチ機構５が連動している。スプール回転軸は、右側カバー２２Ａ及び左側カバー２２Ｂに軸受を介して回転自在に各別に支持されている。
【００２９】
（クラッチ機構）
クラッチ機構５は、クラッチ操作部材５０の操作によってハンドル２０の回転をスプール３に伝達可能なクラッチオン状態と、ハンドル２０の回転をスプール３に伝達不能なクラッチオフ状態とに切換可能である。クラッチオン位置では、ピニオンギアの回転がスプール回転軸に伝達され、クラッチオン状態になり、ピニオンギアとスプール回転軸とが一体回転可能になる。また、クラッチオフ位置では、ピニオンギアの回転がスプール回転軸に伝達されないため、クラッチオフ状態になり、スプール３は自由回転可能になる。
【００３０】
（クラッチ操作部材）
クラッチ操作部材５０は、図１に示すように、クラッチ機構５をクラッチオン状態とクラッチオフ状態とに切り換え操作するためのものである。クラッチ操作部材５０は、リール本体２の後部において、右側板２１Ａと左側板２１Ｂとの間でリール本体２の後部に釣り竿装着部２４に対して接近及び離反する方向に移動可能に設けられている。クラッチ操作部材５０は、本実施形態において、スプール回転軸回りに揺動可能に設けられる。
【００３１】
（スプール駆動機構）
上述したスプール駆動機構は、スプール３を糸巻取方向に駆動する。また、巻き取り時にスプール３に対してドラグ２７によりドラグ力を発生させて釣糸の切断を防止する。
ドラグ２７は、ハンドル２０のハンドルアーム２５と右側カバー２２Ａとの間においてハンドル軸に同軸に設けられている。スプール駆動機構は、図示しないローラクラッチの形態の逆転防止部によって糸巻取方向の回転が禁止された上記のモータ４と、モータ４の回転を減速してスプール３に伝達したり、ハンドル２０の回転を増速してスプール３に伝達する回転伝達機構と、を備えている。
【００３２】
（モータ）
モータ４は、図２に示すように、電動リール１の前部においてスプール３（図１参照）よりも前側の位置に配置され、半割れ形状のモータ収容体４０に覆われた状態で設けられている。
【００３３】
図３及び図４に示すように、右側板２１Ａの前部下面２１ａには、電源ケーブル接続用のコネクタ１０が本体フレーム２１とは別体で設けられた固定ホルダー６を介して下向きに装着されている。
【００３４】
コネクタ１０は、図５乃至図７に示すように、不図示のリード線によりモータ４に接続され、電源部が電気的に着脱可能に設けられている。固定ホルダー６は、固定ねじ６６（固定手段）により右側板２１Ａに装着され、コネクタ１０を固定する保持孔６２を有している。
【００３５】
右側板２１Ａの下端には、固定ホルダー６を固定ねじ６６で固定可能で下方に突出する取付壁２１Ｄが一体的に設けられている。取付壁２１Ｄは、図６に示すように、ハンドル軸Ｃ１に対して直交する取付面を有している。取付壁２１Ｄは、後述する固定ホルダー６の雌ねじ孔６４（図８参照）に対応する位置に形成された一対の貫通穴２１ｂと、後述する固定ホルダー６の凸部６５に対応する位置に形成された一対の係合穴２１ｃと、を有している。
取付壁２１Ｄを含む本体フレーム２１は、アルミニウム製の部材から形成されている。
【００３６】
（コネクタ）
コネクタ１０は、図３に示すように、他の場所に配置される外部電源から延ばされた給電ケーブル１１のソケット型の端子１１ａが接続される。コネクタ１０は、図７に示すように天壁１２と筒部１３とからなる有頂筒状をなしている。天壁１２の外周面には、径方向の外側に向けて全周にわたって突出する外周フランジ１４が形成されている。筒部１３の内側には、給電ケーブル１１の端子１１ａが差し込まれることで電気的に嵌合される差し込み口１３ａが形成されている。天壁１２から突出する接続端子１５には、不図示のリード線が接続され、モータ４側に連結されている。
なお、給電ケーブル１１をコネクタ１０に接続していないときには、コネクタ１０の下方に突出する先端部分に、例えば電気的絶縁性を有する樹脂材料により形成される保護キャップ（図示省略）が着脱自在に被嵌して覆うように取り付けられている。これにより、不使用時においてコネクタ１０の先端が露出することがなく、防水性をもたせることができる。
【００３７】
コネクタ１０は、図６に示すように。外周フランジ１４において外周部が直線状に切り欠かれた一対の切欠面１４ａを有している。一対の切欠面１４ａは、それぞれ平面になっていて、径方向に対向する位置に二箇所配置されている。
【００３８】
（固定ホルダー）
固定ホルダー６は、図６〜図９に示すように、円形状の保持孔６２を有するベース部６１と、ベース部６１の上面６１ａにおいて保持孔６２の周囲を平面視でコの字状に囲むように設けられた凹状枠６３と、凹状枠６３の開口側と反対側に位置するホルダー固定面６ａに形成された一対の雌ねじ孔６４と、ホルダー固定面６ａで一対の雌ねじ孔６４同士の間に設けられた一対の凸部６５と、を備えている。
【００３９】
ベース部６１は、板状の部材であり、上面６１ａにコネクタ１０の外周フランジ１４が上方から当接する。このようにベース部６１上に外周フランジ１４が載置した状態で、保持孔６２を上方から通過したコネクタ１０の下半部分がベース部６１より下方に突出した状態で固定されている。保持孔６２には、コネクタ１０の筒部１３が液密に、かつ離脱不可な状態で上方から差し込まれている。
【００４０】
また、コネクタ１０の突出する先端部分には、図６及び図７に示すように、ナット部材６７が座金６８とともに締め付けられて螺合される（図５参照）。コネクタ１０の外周フランジ１４とナット部材６７とでベース部６１を挟持することでコネクタ１０が固定ホルダー６に装着され、脱落することなく保持することができる。
【００４１】
凹状枠６３は、一対の側枠６３Ａと、側枠６３Ａ、６３Ａの一端同士を接続する連結枠６３Ｂと、からなる。各側枠６３Ａ同士の対向する内面は、互いに平行な平滑面をなす係止面６３ａに形成されている。この係止面６３ａには、図５に示すように、コネクタ１０を取付けた状態において、コネクタ１０の外周フランジ１４に形成された切欠面１４ａが面接触により嵌合される。つまり、係止面６３ａと切欠面１４ａとは、平面視で直線状に接しているので、固定ホルダー６に対するコネクタ１０の中心軸回りの回転が防止される。
【００４２】
このように構成されることで、給電ケーブル１１がコネクタ１０に接続されて、コネクタ１０から電気ケーブルを介して駆動部（モータ４や制御部）に給電されると、モータ４を回転駆動させることができ、さらにモータ４の回転駆動力がスプール３に伝達される。
【００４３】
次に、このように構成される魚釣用電動リールの作用について、図面に基づいて詳細に説明する。
図５及び図６に示すように、本実施形態によれば、本体フレーム２１の取付壁２１Ｄに対して固定ねじ６６によりねじ止めされた固定ホルダー６を介してコネクタ１０が固定される。そのため、モータ４に接続されるコネクタ１０は、リール本体２の一部を覆うカバー２２側ではなく、リール本体２側でモータ４とともに設けられた状態となる。
そのため、電動リール１を組み立てる際に、予め本体フレーム２１側でコネクタ１０とモータ４とを接続するリード線を組み付けておくことが可能となる。したがって、本体フレーム２１にカバー２２を組み込む際に、従来のようにカバーにコネクタが設けられている場合のようにリード線が噛み込むような不具合を防ぐことができ、組立性の向上を図ることができる。
【００４４】
また、本実施形態では、本体フレーム２１に対して固定ホルダー６を介してコネクタ１０が固定される。つまり、コネクタ１０の取付部が直接、本体フレーム２１に設けられていないので、従来のようなコネクタの回り止め形状の肉厚部分が本体フレームに形成されることがない。したがって、前記肉厚部分の影響により本体フレーム２１の成型時のヒケ等の発生をなくすことができ、このヒケ等に伴う外観不良を抑制することができる。
【００４５】
また、本実施形態では、本体フレーム２１が固定ホルダー６を固定ねじ６６で固定可能な取付壁２１Ｄを有し、本体フレーム２１の取付壁２１Ｄに対して固定ホルダー６を固定ねじ６６でねじ止めする固定構造となり、取付壁２１Ｄを除いた本体フレーム２１の成型時の影響を小さく抑えることができる。
【００４６】
さらに、本実施形態では、本体フレーム２１をアルミニウム製の部材から形成することで、上述のように本体フレーム２１に直接コネクタ１０の取付部が設けられていない構造となるので、本体フレーム２１がアルミニウム製であっても簡単な金型構造により成型することができ、製造コストの増加を抑えることができる。
【００４７】
上述のように構成された本実施形態による魚釣用電動リールでは、組立性を向上することができ、成型後の外観不良を抑制することができる。
【００４８】
以上、本発明による魚釣用電動リールの実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【００４９】
例えば、上記実施形態では、本体フレーム２１に固定手段により装着される固定ホルダー６と、固定ホルダー６の保持孔６２に固定されるコネクタ１０とが別体で設けられた構成とされているが、固定ホルダー６とコネクタ１０とが一体的に設けられる構成であってもよい。すなわち、固定ホルダーは、本体フレーム２１に固定手段により装着され、コネクタを保持した状態でコネクタと一体に設けられてユニット化されたものを採用することも可能である。なお、固定ホルダーとコネクタとを一体に形成する方法としては、例えば亜鉛ダイキャスト等のダイキャストや、樹脂成型、焼結、或いは削り出しによる方法などを適用することができる。
このように固定ホルダーとコネクタとをユニット化する場合も、上記実施形態と同様に、コネクタがリール本体の一部を覆うカバー側ではなく、リール本体側で電気駆動部とともに設けられるため、本体フレームにカバーを組み込む際に、リード線のカバーとの噛み込みを防ぐことができ、組立性の向上を図ることができる。さらに、本体フレームに対して固定ホルダーとコネクタとが一体化されているので、本体フレームの成型時のヒケ等の発生をなくすことができ、このヒケ等に伴う外観不良を抑制することができる。
【００５０】
また、上記実施形態において、リール本体２の取付壁２１Ｄに固定ホルダー６を固定する固定手段として固定ねじ６６を採用しているが、固定ねじ６６であることに制限されることはない。例えば、本体フレームに対して係合のみにより仮固定しておき、本体フレームとカバーとの間で固定ホルダーを挟み込むことによる固定手段を採用することも可能である。
【００５１】
また、本実施形態では、本体フレーム２１に設けた取付壁２１Ｄに固定ホルダー６を固定する構成としているが、取付壁２１Ｄを省略することも可能である。要は、コネクタ１０が直接、本体フレーム２１に固定しないために本体フレーム２１に対して着脱可能な別体の固定ホルダー６が設けられていればよいのである。
【００５２】
さらに、本実施形態では、コネクタ１０の外周フランジ１４に形成された切欠面１４ａと、固定ホルダー６の凹状枠６３に形成された係止面６３ａとを面接触させることで、固定ホルダー６に対してコネクタ１０の回転を規制する構成としているが、回転規制手段として他の構成であってもかまわない。
【符号の説明】
【００５３】
１  電動リール（魚釣用電動リール）
２  リール本体
３  スプール
４  モータ（電気駆動部）
６  固定ホルダー
１０  コネクタ
１１  給電ケーブル（電源部）
１３ａ  差し込み口
１４  外周フランジ
１４ａ  切欠面
２１  本体フレーム
２１Ａ  右側板
２１Ｂ  左側板
２１Ｄ  取付壁
２２  カバー
２２Ａ  右側カバー
２２Ｂ  左側カバー
６２  保持孔
６３  凹状枠
６３Ａ  側枠
６３ａ  係止面
６６  固定ねじ（固定手段）
Ｃ１  ハンドル軸
Ｃ２  スプール軸
【図１】
2020010607.tif 000003
【図２】
2020010607.tif 000004
【図３】
2020010607.tif 000005
【図４】
2020010607.tif 000006
【図５】
2020010607.tif 000007
【図６】
2020010607.tif 000008
【図７】
2020010607.tif 000009
【図８】
2020010607.tif 000010
【図９】
2020010607.tif 000011